(57)【要約】【課題】半透過型液晶装置はカラーフィルターを反射と透過で兼用するために、透過で色を濃くすると反射では色が濃くなりすぎて結果として明るさが足りなくなる欠点を有している。【解決手段】吸収型フィルターがアレイ状に周期的に配置されてなる吸収型カラーフィルターの上部に、反射回折する光が吸収型フィルターの透過する光と同じ色に対応した反射フィルターをアレイ状に周期的に配置した。【選択図】    図１
2004279965.tif 000002
【特許請求の範囲】
【請求項１】
対向する基板間に液晶層が設けられた表示素子と、前記液晶層の背後に設けられた反射型ホログラムカラーフィルターと、前記反射型ホログラムカラーフィルターの背後に設けられた吸収型カラーフィルターとを備え、
前記吸収型カラーフィルターには、波長帯域の光を透過する吸収型フィルターがアレイ状に配置されており、前記反射型ホログラムカラーフィルターには、反射回折する光が前記吸収型フィルターの透過する光と同じ色に対応した反射フィルターが、前記吸収型フィルターの配置と対応するように配置されたことを特徴とする半透過型液晶表示装置。
【請求項２】
前記表示素子の背後に設けられたバックライトと、前記バックライトと前記反射型ホログラムカラーフィルターとの間に設けられた散乱層を備えることを特徴とする請求項１に記載の半透過型液晶表示装置。
【請求項３】
互いに対向する第一の基板と第二の基板との間に液晶層が挟持された液晶表示素子と、前記液晶表示素子を背面から照明するバックライトを有する半透過型液晶表示装置において、
前記第二の基板上には、各色毎の波長帯域の光を透過する複数色の吸収型フィルターが規則的に配置された吸収型カラーフィルターが設けられ、
前記吸収型カラーフィルターの観測者側には、反射回折する光が前記吸収型フィルターの透過光と同じ色に対応した反射フィルターが、前記吸収型フィルターの配置と対応するように配置された反射型ホログラムカラーフィルターが設けられたことを特徴とする半透過型液晶表示装置。
【請求項４】
前記バックライトと前記反射型ホログラムカラーフィルターとの間に散乱層を備えることを特徴とする請求項３に記載の半透過型液晶表示装置。
【請求項５】
前記散乱層が、特定角度範囲で入射した光を散乱し、それ以外の角度で入射された光を透過する指向性拡散層であることを特徴とする請求項２または請求項４に記載の半透過型液晶表示装置。
【請求項６】
前記バックライトの反射層が鏡面反射層であることを特徴とする請求項２から請求項５のいずれか一項に記載の半透過型液晶表示装置。
【請求項７】
支持基板上に反射型ホログラムカラーフィルターを形成する工程と、第二の基板上に吸収型カラーフィルターを形成する工程と、前記第二の基板の吸収型カラーフィルター上に、前記支持基板上の反射型ホログラムカラーフィルターを転写する工程と、前記吸収型カラーフィルターと前記反射型ホログラムカラーフィルターが積層された第二の基板と第一の基板を対向させてなる間隙に液晶層を設ける工程と、を備えることを特徴とする半透過型液晶表示装置の製造方法。
【請求項８】
前記吸収型カラーフィルター上に透明樹脂層を形成する工程を備えることを特徴とする請求項７に記載の半透過型液晶表示装置の製造方法。
【発明の詳細な説明】
【０００１】
【発明の属する技術分野】
本発明は、時計、携帯電話、オーディオ、電子機器等に使用される液晶表示装置のうち、使用環境の光である外光を利用する反射型表示と、バックライト等の照明光を利用する透過型表示との両方の表示が可能な半透過型の液晶表示装置に関するものである。より詳しくは、反射と透過の明るさと色再現性に優れた半透過型液晶表示装置に関する。
【０００２】
【従来の技術】
液晶表示装置に用いられる液晶パネル（ＬＣＤ）は、液晶パネルは非発光性のため、一般には反射板やバックライトが用いられている。液晶表示装置には、明所でも暗所でも表示が観察できるように、自然光や室内光等の外光を利用する反射型表示と、バックライトからの照明光を利用する透過型表示との両方の表示モードを行うものがある。このような液晶表示装置の構成としては、液晶パネルの背後に、入射する光の一部を透過し、他を反射する機能をする半透過反射板と、照明源であるバックライトを備えた構成が一般的に知られており、半透過型の表示装置と称されている。そして、半透過反射板として、誘電体ミラーを用い、液晶パネル内部に形成した構成が知られている（例えば、特許文献１参照。）。また、半透過反射板として画素内に透過用の開口を設けた金属反射膜を用いた例もある（例えば、特許文献２参照。）。
【０００３】
【特許文献１】
特開２０００−２８４２７６号公報（第２頁、第１−３図）
【０００４】
【特許文献２】
特開２００１−３３７７８号公報（第２−３頁、第１図、第２図）
【０００５】
【発明が解決しようとする課題】
しかし、特許文献１に記載された誘電体ミラーを液晶パネル内部に形成した構成では、以下のような欠点を有している。半透過反射板として使用している誘電体ミラーは反射と透過の比率を設定して使用する。よって、反射型に比較すると暗くなり透過型と比較しても暗くなる。図２に、この半透過反射板の透過と反射での光の利用効率を説明する模式図を示す。反射の場合、外光は半透過反射板１６で一部が反射し、また一部が透過光Ａとして分離される。反射光は観察者に届くが、透過光Ａは反射に有効利用されず観察者には届かないため、観察者は入射した外光に比較して暗い光である反射光で表示を観察することになる。
【０００６】
同様に透過の場合、バックライトからの光は半透過反射板１６で一部が反射して反射光Ａとなり、一部が透過光として分離され観察者に届く。反射光Ａも透過光として有効利用されず、入射したバックライトの光は半透過反射板により反射光Ａの光量分ロスとなる。
【０００７】
また、別の課題として、透過と反射の色再現性を独立してコントロール出来ない。カラーフィルターは反射と透過で兼用するために、透過で色を濃くすると反射では色が濃くなりすぎることになり、結果として明るさが足りなくなる欠点を有している。
【０００８】
特許文献２に開示されている技術でも、同様に、半透過反射板の反射と透過での光利用効率が悪く、よって、反射型に比較すると暗くなり透過型と比較しても暗くなる。反射を明るくするために。スリット幅を小さくすると透過率が悪くなる。透過率の悪さをカバーする為に明るいバックライトを用意することも可能であるが、一般にバックライトを明るくすると消費電力が大きくなりバッテリーで動作する携帯機器には使用できなくなる。また、携帯機器以外でも発熱の問題が発生し、冷却構造など新たな問題を発生させるので実用的でない。
【０００９】
一方、カラーフィルターは透過と反射の色再現性を独立してコントロール出来きる機能を有している。しかし、カラーフィルターを半透過反射板と組み合わせて構成しているために、反射の色を濃くすると半透過反射板の反射と透過の比率を反射が明るくなるように設定する必要があり、結果として透過率を犠牲にすることになった。
【００１０】
そこで、本発明の目的は、半透過反射板とカラーフィルターを組み合わせた半透過型液晶装置において、半透過反射板の透過と反射のロスを改善し、カラーフィルターの色の濃さを反射と透過でそれぞれ独立して設定できないことを改善する半透過型液晶表示装置を提供する事にある。
【００１１】
【課題を解決するための手段】
上記課題を解決するために、本発明の液晶表示装置は、対向する基板間に液晶層が設けられた表示素子と、液晶層の背後に設けられた反射型ホログラムカラーフィルターと、反射型ホログラムカラーフィルターの背後に設けられた吸収型カラーフィルターとを備えており、吸収型カラーフィルターには、波長帯域の光を透過する吸収型フィルターがアレイ状に配置され、また、反射型ホログラムカラーフィルターには、反射回折する光が前記吸収型フィルターの透過する光と同じ色に対応した反射フィルターが、吸収型フィルターの配置と対応するように配置されている。あるいは、互いに対向する第一の基板と第二の基板との間に液晶層が挟持された液晶表示素子と、液晶表示素子を背面から照明するバックライトを有し、第二の基板上には、複数色の波長帯域の光を透過する吸収型フィルターが規則的に配置されたてなる吸収型カラーフィルターが設けられ、吸収型カラーフィルターの観測者側に、反射回折する光が吸収型フィルターの透過光と同じ色に対応した反射フィルターが、吸収型フィルターの配置と対応するように配置された反射型ホログラムカラーフィルターが設けられた構成とした。ここで、反射型ホログラムカラーフィルターは、反射型体積ホログラムからなる。
【００１２】
このような構成により、透過と反射のロスを改善し、カラーフィルターの色の濃さを反射と透過それぞれ独立して設定できるようになる。そのため、反射でも透過でも色の濃い表示と明るさを両立した半透過型液晶表示装置を簡単な構成で容易に実現できる。
【００１３】
さらに、反射型ホログラムカラーフィルターとバックライトの間には散乱層が配置されている。この散乱層は特定角度範囲で入射した光を散乱し、それ以外の角度で入射された光を透過する指向性拡散層である。更に、バックライトの反射層を鏡面反射層とした。
【００１４】
このような構成により、外光で特に反射型ホログラムカラーフィルターで反射に寄与しなかった透過光をバックライトの反射層で反射させ、拡散層で効率良く拡散させて反射光とするので、更に反射光の明るさが改善出来ると同時に、反射型ホログラムカラーフィルターの反射視角範囲の不足する領域に反射させる事で反射の視角範囲を簡単な構成で容易に改善できる。
【００１５】
また、本発明の液晶表示装置の製造方法は、支持基板上に反射型ホログラムカラーフィルターを形成する工程と、第二の基板上に吸収型カラーフィルターを形成する工程と、第二の基板の吸収型カラーフィルター上に、支持基板上の反射型ホログラムカラーフィルターを転写する工程と、吸収型カラーフィルターと反射型ホログラムカラーフィルターが積層された第二の基板と第一の基板を対向させてなる間隙に液晶層を設ける工程と、を備える。すなわち、第２の基板にカラーフィルターを基板上に形成するにあたって、基板上に吸収型カラーフィルターを形成して後、支持基板に形成された反射型ホログラムカラーフィルターを吸収型カラーフィルター上に転写する工程を有する製造方法である。このような製造方法により、反射型ホログラムカラーフィルターを容易に吸収型カラーフィルター上に形成できる。
【００１６】
【発明の実施の形態】
本発明による半透過型液晶表示装置は、対向する基板間に液晶層が設けられた表示素子と、液晶層の背後に設けられた反射型ホログラムカラーフィルターと、反射型ホログラムカラーフィルターの背後に設けられた吸収型カラーフィルターとを備え、吸収型カラーフィルターには、特定の波長帯域の光を透過する吸収型フィルターがアレイ状に配置されており、反射型ホログラムカラーフィルターには、反射回折する光が吸収型フィルターの透過する光と同じ色に対応した反射フィルターが、吸収型フィルターの配置と対応するように配置されている。更に、反射型ホログラムカラーフィルターの背後には散乱層が配置されている。このような構成の半透過型液晶表示装置は、従来技術の構成と比較して、大きく異なる点は半透過反射板を使用せずに半透過方式の表示を可能とし、従来技術の課題である反射でも透過でも色の濃い表示と明るさを両立可能とする、その作用を図３の概略図を用いて説明する。
【００１７】
図３は本発明の作用を説明するための概略図であり、表示装置に必要な構成を全て記載してはいない。図示するように、ここでは、Ｒ（赤色）、Ｇ（緑色）、Ｂ（青色）３色の画素にパターニングされた反射型ホログラムカラーフィルター８と、これと同様にパターニングされた吸収型カラーフィルター１０が中間透明樹脂層９を挟んで積層され、積層カラーフィルターを構成している。この積層カラーフィルターとバックライト１５の間には散乱層１４が配置されている。
【００１８】
最初に、反射の光路による反射型ホログラムカラーフィルターの作用を説明する。外光光源１７は太陽や天井の照明などを指し、通常半透過型液晶表示装置からの距離はパネルの大きさに比較して充分離れているので、外光入射光１８は指向性を持った光となり反射型ホログラムカラーフィルター８に入射する。反射型ホログラムカラーフィルター８は指向性の有る光を効率良く反射回折し回折光１９となる。図中、矢印で示した入射光はＧの画素に入射しているので、回折光１９はＧ（緑色）で回折されており、その色は緑色となる。同様にＲ８での回折光は赤色となり、Ｂ１０での回折光は青色となる。従って、反射型ホログラムカラーフィルターは外光入射光をＲ（赤色）、Ｇ（緑色）、Ｂ（青色）３色に分光する作用と反射する作用を併せ持っている。
【００１９】
次に、透過の光路による吸収型カラーフィルターの説明をする。バックライト１５からのバックライト出射光２０（背面側からの入射光）は散乱層１４で散乱を受けて拡散光２１となり吸収型カラーフィルター１０と中間透明樹脂層９と反射型ホログラムカラーフィルター８を透過して透過光２２となる。図中、拡散光２１はＧ１０（緑色）を透過しているので、その色は緑色となる。同様にＲ１０の透過光は赤色となり、Ｂ１０の透過光は青色となる。この時、吸収型カラーフィルター１０を透過した光が反射型ホログラムカラーフィルター８を透過するのに回折による損失が少なくなるのは光が拡散している為である。
【００２０】
一般に、ホログラムは指向性のある光を効率良く回折する。しかし、拡散光などの光に対しては回折効率が悪くなる。本発明においては、反射では指向性のある外光光源を用いて効率の良い分光と反射の機能を反射型ホログラムカラーフィルターに持たせ、透過では拡散層１４により光を拡散光にすることで吸収型カラーフィルター１０が分光した光を反射型ホログラムカラーフィルター８が回折する効率を低減させて効率良く透過出来るようにしている。また、カラーフィルターの反射色の濃さと透過色の濃さも独立して設定可能となる。
【００２１】
よって、本発明は、従来技術の構成と比較して、半透過反射板を使用せずに半透過方式の表示を可能とし、反射でも透過でも色の濃い表示と明るさを両立可能としたものである。
【００２２】
また、外光には、外光光源からの指向性の良い光と周囲拡散光のように拡散した外光も存在する。この様な拡散光に対して反射型ホログラムカラーフィルターは回折効率が低下するので反射が暗くなる場合が想定される。この様な場合は以下の構成を取る事で回折効率の低下分を補償する事が可能である。
【００２３】
その構成は、反射型ホログラムカラーフィルターとバックライトの間に、特定角度範囲で入射した光を散乱し、それ以外の角度で入射された光を透過する指向性拡散層を用いる。更にバックライトの反射層に鏡面反射層を使用する。
【００２４】
このような構成により、外光で特に反射型ホログラムカラーフィルターで反射に寄与しなかった透過光をバックライトの反射層で反射させ、拡散層で効率良く拡散させて反射光とするので、反射の明るさが改善出来ると同時に、反射型ホログラムカラーフィルターの反射視角範囲の不足する領域に反射させる事で反射の視角範囲を簡単な構成で容易に改善できる。
【００２５】
【実施例】
以下、図面を参照して本発明にかかわる半透過型液晶表示装置の実施例を説明する。
（実施例１）
図１は、本実施例における半透過型液晶表示装置の断面構造を示す模式図である。図１に示すように、第一の基板４はガラス、プラスチック等の透明基板を上基板２として使用し、上透明電極３を設けている。一般的な液晶パネルと同様に図示はしないが配向膜や絶縁膜などの製膜処理及びラビングなどの配向処理がされていても良い。
【００２６】
下基板１１はガラス、プラスチック等の透明基板を使用し、吸収型カラーフィルター１０は、染料や顔料によってＲ（赤色）、Ｇ（緑色）およびＢ（青色）のいずれかに着色された樹脂材料で形成された膜である。吸収型カラーフィルター１０が形成された下基板１１の表面は、アクリル樹脂やエポキシ樹脂等からなる中間透明樹脂層９によって覆われ、更にその上に反射型ホログラムカラーフィルター８が設けられている。この時、反射型ホログラムカラーフィルター８はそのＲ（赤色）、Ｇ（緑色）、Ｂ（青色）が吸収型カラーフィルター１０のＲ、Ｇ、Ｂと同じ位置に重なるように形成されている。
【００２７】
中間透明樹脂層９は、吸収型カラーフィルター１０に形成された凸部を平坦化するとともに、反射型ホログラムカラーフィルター８を密着させる機能をもたせており、材料の異なる複数層の膜で構成しても良い。
【００２８】
さらに、透明樹脂層７を形成後下透明電極６が形成され第２の基板１３を構成している。第２の基板１３には、第１の基板４と同様に図示はしないが配向膜や絶縁膜などの製膜処理及びラビングなどの配向処理がされていても良い。
【００２９】
第１の基板４と第２の基板１３はスペーサの混入されたシール材によって一定の間隙を保った状態で貼付されるとともに、これらの基板の間隙５に液晶が封入された構成となっている。図示はしないがアクティブ駆動方式の場合は薄膜トランジスタや薄膜ダイオードなどの素子が第１の基板４と第２の基板１３のいずれか一方に形成されても良い。また、第１の基板４の前面側には上偏光板１が、第２の基板１３の背面側には下偏光板１２がそれぞれ貼着され、その偏光軸は、貼着された基板に形成される配向膜のラビング方向に応じて設定され、必要に応じて位相差板を積層しても良い。
【００３０】
このような構成において、第１の基板４側から外光（すなわち、太陽光や室内照明の光等）が入射した場合、この入射光は反射型ホログラムカラーフィルター８によって反射し、これにより反射型のカラー表示を行うことができる。一方、第２の基板１３の背面側に散乱層１４を挟んでバックライト１５が配置されている。そのため、バックライト１５からの照射光は、散乱層１４で散乱されて吸収型カラーフィルター１０と反射型ホログラムカラーフィルター８を透過し、これにより透過型のカラー表示を行うことができる。ここで、散乱層１４の機能がバックライト１５に内設されている場合、散乱層１４は必要としない。
【００３１】
反射での表示について更に詳細に説明する。太陽光や室内照明の光等が所定角度で照明光として第１の基板４側から入射すると、照明光はＲ、Ｇ、Ｂ各画素の電圧印加状態に応じた位相変調を受けて反射型ホログラムカラーフィルター８へ入射する。すなわち、各画素Ｒ、Ｇ、Ｂで位相変調を受けた光は、赤を表示する画素Ｒについては、反射型ホログラムカラーフィルター８の赤色反射フィルター要素Ｒ８に入射する。Ｒ８に入射した光のうち、赤色波長成分λＲ のみが選択的に所定方向へ反射回折され、再度赤を表示する画素Ｒを同じ変調を受けて前面側へ反射し、上偏光板１で強度変調され、赤色画素表示光となる。一方、フィルター要素Ｒ８で回折されなかった波長成分λＧ  、λＢ  は反射型ホログラムカラーフィルター８を通過し、背面に配置された吸収型カラーフィルター１０の赤色吸収フィルター要素Ｒ１０より吸収される。緑、青の各画素についても同様の原理で反射される。
【００３２】
したがって、カラー表示単位中の画素Ｒ、Ｇ、Ｂの変調状態の組み合わせによって３つ色の表示光の加法混色により任意の色が任意の輝度で表示可能になり、２次元的に配置されたカラー表示単位の表示状態の組み合わせで観察可能なカラー画像が表示できる。
【００３３】
ここで、反射型ホログラムカラーフィルター８に用いられる体積型の反射ホログラムについて説明する。フォトポリマー等の厚みのあるホログラム感光材料に干渉縞が記録される。このようにして記録されたホログラムは、波長選択性及び入射角度範囲選択性に優れたものであり、感光材料の厚さ、記録条件、後処理条件等を選択することにより、回折波長域の半値幅、回折方向の範囲等をある程度制御することが可能である。回折波長がそれぞれ赤色領域、緑色領域、青色領域にある３つの微小なホログラムをアレイ状に周期的に配置してなる反射型ホログラムカラーフィルター８を作製すると、反射型ホログラムカラーフィルター８の赤色反射回折ホログラム要素Ｒ８はその方向に赤色領域の波長λＲ  のみを回折する。同様に、反射型ホログラムカラーフィルター８の緑色反射回折ホログラム要素Ｇ８はその方向に緑色領域の波長λＧ  のみを、青色反射回折ホログラム要素Ｂ８はその方向に青色領域の波長λＢ  のみを回折する。すなわち、反射型ホログラムカラーフィルター８は、Ｒ、Ｇ、Ｂ三原色の反射フィルター要素Ｒ８、Ｇ８、Ｂ８からなる反射型ホログラムカラーフィルターとしての作用を有することになる。
【００３４】
透過における表示では、反射型ホログラムカラーフィルター８に入射する光はバックライト１５からの光を散乱層１４で散乱させている。反射型ホログラムカラーフィルター８は前面の外光光源が入射するような特定の角度で回折効率が高くなるように設定してあり、背面からの散乱光に対して低い回折効率を示す。その結果、バックライトからの光に対しては効率良く透過する。透過光のカラー表示は通常の透過型カラー表示と同様に吸収型カラーフィルター１０により表示可能となる。
【００３５】
本実施例によれば、透過と反射のロスを改善し、カラーフィルターの色の濃さを反射と透過それぞれ独立して設定できるようになる。そのため、反射でも透過でも色の濃い表示と明るさを両立した半透過型液晶表示装置を簡単な構成で容易に実現できる。
【００３６】
（実施例２）
本実施例では、外光反射の明るさと視角範囲を改善できる構成について説明する。図４はその概要を示す模式断面図である。図１の構成要素から必要な要素のみ抜き出して図示している。一般に、外光には、外部光源からの指向性の良い光と周囲拡散光のように拡散した光が混在する。この様な外光拡散光源２３に対して反射型ホログラムカラーフィルター８は回折効率が低下するので反射が暗くなる場合が想定される。この様な場合は以下の構成を取ることにより、回折効率の低下分が補償できる。すなわち、反射型ホログラムカラーフィルター８とバックライトの間に、特定角度範囲で入射した光を散乱し、それ以外の角度で入射された光を透過する指向性拡散層２８を設ける。更に、バックライトの導光板２６の背面側に反射層として鏡面反射層２７を設けることとした。
【００３７】
指向性拡散層２８の拡散範囲はその法線方向に対して強度半値幅で±２０度以内にすることが望ましい。通常のバックライトからの出射光の強度プロファイルの半値幅が、±２０度であるので、この角度範囲に設定する事で必要以上の角度で散乱を持たせる必要がないためである。この様な特性を示す指向性拡散層２８としては、住友化学工業株式会社製の商品名ルミスティーを使用できる。また、鏡面反射層２７としては、銀、アルミニュウムなどの金属や干渉を利用した反射膜が使用できる。
【００３８】
このような構成の表示装置を観察する場合を説明する。外光拡散光源２３から拡散入射光２４が反射型ホログラムカラーフィルター８に入射する。反射型ホログラムカラーフィルター８は実施例１で説明したように、入射角度範囲の選択性に優れている。従って、拡散入射外光２４の特定角度以外の成分は反射回折せず透過し、吸収型カラーフィルター１０で色の選択を受けて、指向性拡散層２８と導光板２６を透過し鏡面反射層２７に入射して反射され、反射光２５となる。反射光２５は導光板２６、指向性拡散層２８を透過し、吸吸収型カラーフィルター１０を透過する際に再度色の選択を受けて、反射型ホログラムカラーフィルター８を透過して反射画像を形成する。ここで、反射光２５は、指向性拡散層２８を透過する時に、指向性拡散層２８の拡散していない角度範囲を透過する角度の光は必要以上の拡散を受けず効率良く反射に寄与できる。また、拡散入射光２４に対して、反射型ホログラムカラーフィルター８で反射回折した光と反射光２５は互いに協働的に作用して、明るさの向上に寄与する。また、反射回折光の視角範囲が狭いことを、この反射光２５が補うことになるので、視角範囲の拡大も可能となる。
（実施例３）
実施例１の構成で第２の基板上にカラーフィルターを形成する方法について、図５の製造方法の概略図を用いて説明する。図中、吸収型カラーフィルター基板３１はガラス、プラスチック等の透明基板を使用し、吸収型カラーフィルターは染料や顔料によってＲ（赤色）、Ｇ（緑色）およびＢ（青色）のいずれかに着色された樹脂材料で形成された膜である。更に、吸収型カラーフィルターが形成されたの表面は、アクリル樹脂やエポキシ樹脂等からなる中間透明樹脂層によって覆われている。
【００３９】
反射型ホログラムカラーフィルター基板３０は支持基板２９上に反射型ホログラムカラーフィルター８が形成されている。支持基板２９と反射型ホログラムカラーフィルター８の間に、後の転写工程で必要な剥離層を設けても良い。支持基板２９にはフィルム、ガラス基板等を使用する。
【００４０】
また、図５において、反射型ホログラムカラーフィルター８は、Ｒ（赤色）、Ｇ（緑色）およびＢ（青色）の三色にパターニングされているが、後の転写工程でパターニングも兼用する場合は一色の反射型ホログラムカラーフィルター８を用いても良い。この場合は、後の転写工程をＲ（赤色）、Ｇ（緑色）およびＢ（青色）の三回行えば良い。
【００４１】
図５（ａ）はアライメント工程を表わしており、反射型ホログラムカラーフィルター基板３０と吸収型カラーフィルター基板３１を近接させて、Ｒ（赤色）、Ｇ（緑色）およびＢ（青色）の各画素が合うようにアライメント後、両基板を密着させる。
【００４２】
図５（ｂ）の転写工程では、紫外線〜遠赤外線の領域内のいずれかの波長領域の光を反射型ホログラムカラーフィルター基板３０の支持基板２９側から照射して、支持基板２９と反射型ホログラムカラーフィルター８の間の密着力を解消する。また、この転写工程でパターニングを兼用する場合は、レーザービームをパターンに合わせて走査させることで転写を行う。
【００４３】
この光照射では、吸収型カラーフィルター表面の中間透明樹脂層にある密着層が光で反応して反射型ホログラムカラーフィルター８との密着をより強固なものにする方法を用いても良い。
【００４４】
光照射後、支持基板２９は剥離されて図５（ｃ）で示す転写終了状態になる。次に、反射型ホログラムカラーフィルター８の保護の為に透明樹脂層を形成後、透明電極を製膜することで、実施例１で説明した第２の基板として使用可能となる。
【００４５】
以上の製造方法を用いることで、反射型ホログラムカラーフィルターの製造工程と吸収型カラーフィルター基板の製造工程を分離できる。すなわち、反射型ホログラムカラーフィルターを、吸収型カラーフィルターが形成された基板上ではなく、支持基板２９の上に形成すれば良くなる。この方法は、吸収型カラーフィルター表面に反射型ホログラムカラーフィルターを直接形成する方法に比較すると、基板の表面状態が簡素で反射型ホログラム形成用のホトポリマーの製膜、露光、の制約が緩くなり、生産性が格段に向上できる。
【００４６】
【発明の効果】
以上説明したように、本発明による半透過型液晶表示装置によれば、従来技術の構成と比較して、半透過反射板を使用せずに半透過方式の表示を可能とし、反射でも透過でも色の濃い表示と明るさを両立可能とする。
【００４７】
また、外光のうち反射型ホログラムカラーフィルターで反射に寄与しなかった透過光をバックライトの反射層で反射させ、拡散層で効率良く拡散させて反射光とするので、反射の明るさが改善出来ると同時に、反射型ホログラムカラーフィルターの反射視角範囲の不足する領域に反射させる事で反射の視角範囲を簡単な構成で容易に改善できる。
【００４８】
また、本発明の半透過型液晶表示装置の製造方法は、吸収型カラーフィルター表面に反射型ホログラムカラーフィルターを直接形成する方法に比較すると、基板の表面状態が簡素で反射型ホログラム形成用のホトポリマーの製膜、露光、の制約が緩くなり、生産性が格段に向上できる。
【００４９】
そのため、民生品市場で半透過型液晶表示装置が多用されているパソコン、カメラ、携帯電話、時計をはじめとする電子機器分野で商品価値を高めることができる。
【図面の簡単な説明】
【図１】本発明の半透過型表示装置の断面構造を示す模式図である。
【図２】従来の技術における半透過反射板の光利用効率の説明図である。
【図３】本発明の作用を説明する概略図を示した図である。
【図４】本発明の半透過型表示装置の概略図である。
【図５】本発明の半透過型表示装置の製造方法を説明する概略図である。
【符号の説明】
１  上偏光板
２  上基板
３  上透明電極
４  第１の基板
５  液晶
６  下透明電極
７  透明樹脂層
８  反射型ホログラムカラーフィルター
９  中間透明樹脂層
１０  吸収型カラーフィルター
１１  下基板
１２  下偏光板
１３  第２の基板
１４  散乱層
１５  バックライト
１６  半透過反射板
１７  外光光源
１８  外光入射光
１９  回折光
２０  バックライト出射光
２１  拡散光
２２  透過光
２３  外光拡散光源
２４  拡散入射光
２５  反射光
２６  導光板
２７  鏡面反射層
２８  指向性拡散膜
２９  支持基板
３０  反射型ホログラムカラーフィルター基板
３１  吸収型カラーフィルター基板
【図１】
2004279965.tif 000003
【図２】
2004279965.tif 000004
【図３】
2004279965.tif 000005
【図４】
2004279965.tif 000006
【図５】
2004279965.tif 000007